(57)【要約】  この発明に係る空気調和装置は、配管接続により冷媒回路が構成される複数の空気調和機器が有する制御系装置が、それぞれ通信可能に第一伝送線で接続された空気調和装置であって、それぞれの空気調和機器は、空気調和機器における機能の設定に関する機能設定情報のデータを有し、第一伝送線以外の経路で、少なくとも１台の空気調和機器の制御系装置とデータのやりとりが可能なバックアップ機器に保存されたバックアップデータに基づいて、機能設定情報のデータの復元が行われるものである。
2018146718.tif 000002
【特許請求の範囲】
【請求項１】
配管接続により冷媒回路が構成される複数の空気調和機器が有する制御系装置が、それぞれ通信可能に第一伝送線で接続された空気調和装置であって、
それぞれの前記空気調和機器は、前記空気調和機器における機能の設定に関する機能設定情報のデータを有し、前記第一伝送線以外の経路で、少なくとも１台の前記空気調和機器の制御系装置とデータのやりとりが可能なバックアップ機器に保存されたバックアップデータに基づいて、前記機能設定情報のデータの復元が行われる空気調和装置。
【請求項２】
前記機能設定情報のデータは、出荷時に設定された運転制御用パラメータのデータ、設置場所において設定された運転制御用パラメータのデータ、空気調和装置を運転することで得られるデータ、前記空気調和機器を特定するデータ、システム内の装置構成に係るデータの少なくとも１つを含むデータである請求項１に記載の空気調和装置。
【請求項３】
前記空気調和機器は、前記機能設定情報に係る設定が変更されると、変更に係る前記機能設定情報のデータを前記バックアップ機器に保存させる請求項１または請求項２に記載の空気調和装置。
【請求項４】
前記空気調和機器は、定期的に、前記機能設定情報のデータを前記バックアップ機器に保存させる請求項１または請求項２に記載の空気調和装置。
【請求項５】
前記バックアップ機器は、前記第一伝送線とは異なる第二伝送線で、少なくとも１台の前記空気調和機器と通信可能に接続されたリモートコントローラである請求項１〜請求項４のいずれか一項に記載の空気調和装置。
【請求項６】
前記バックアップ機器は、前記第一伝送線に接続された複数の前記空気調和機器を管理する集中管理装置とＬＡＮを介して通信可能に接続された、サーバまたはコンピュータである請求項１〜請求項４のいずれか一項に記載の空気調和装置。
【請求項７】
前記バックアップ機器は、前記第一伝送線に接続された複数の前記空気調和機器を管理する集中管理装置と電気通信回線を介して通信可能に接続された、サーバまたはクラウドサービスである請求項１〜請求項４のいずれか一項に記載の空気調和装置。
【請求項８】
前記バックアップ機器は、前記空気調和機器に挿抜可能な外部記録媒体である請求項１〜請求項４のいずれか一項に記載の空気調和装置。
【請求項９】
前記バックアップ機器は、少なくとも１台の前記空気調和機器と無線通信で接続された携帯端末である請求項１〜請求項４のいずれか一項に記載の空気調和装置。
【請求項１０】
複数の前記バックアップ機器毎に、前記機能設定情報のデータの保存の有効または無効の設定が行われる請求項１〜請求項９のいずれか一項に記載の空気調和装置。
【請求項１１】
前記バックアップ機器が前記機能設定情報のデータを保存できなかったときには、保存できなかった旨が報知される請求項１〜請求項１０のいずれか一項に記載の空気調和装置。
【請求項１２】
前記空気調和機器は、１または複数の前記バックアップ機器および各前記バックアップ機器における前記バックアップデータの保存日時によって選択された前記バックアップデータに基づいて、前記機能設定情報のデータの復元を行う請求項１〜請求項１１のいずれか一項に記載の空気調和装置。
【請求項１３】
前記空気調和機器は、前記復元において、前記バックアップデータに基づく前記機能設定情報のデータと前記制御系装置が有するソフトウェアにより行われる前記機能とを比較し、前記機能に不要な前記機能設定情報を判定して設定を無効にする請求項１〜請求項１２のいずれか一項に記載の空気調和装置。
【請求項１４】
前記空気調和機器は、前記バックアップ機器に前記バックアップデータが存在しないときに、同じ冷媒系統の同種の前記空気調和機器の前記機能設定情報のデータに基づいて前記復元を行う請求項１〜請求項１３のいずれか一項に記載の空気調和装置。
【請求項１５】
前記空気調和機器は、前記バックアップ機器に前記バックアップデータが存在しないときに、同一型名の前記空気調和機器の前記機能設定情報のデータに基づいて前記復元を行う請求項１〜請求項１４のいずれか一項に記載の空気調和装置。
【請求項１６】
前記空気調和機器は、前記バックアップ機器に前記バックアップデータが存在しないときに、建物内の同じフロアにおける同種の前記空気調和機器の前記機能設定情報のデータに基づいて前記復元を行う請求項１〜請求項１５のいずれか一項に記載の空気調和装置。
【発明の詳細な説明】
【技術分野】
【０００１】
この発明は、空気調和装置に関するものである。特に、空気調和装置を構成する室外機、室内機などの空気調和機器の設定に係るデータの保存などに関するものである。
【背景技術】
【０００２】
たとえば、室外機、室内機などの複数の空気調和を行うための機器を配管接続して冷媒回路を構成する空気調和装置がある（以下、室外機および室内機を特に区別する必要がない場合には、空気調和機器という）。各空気調和機器においては、使用環境などに合わせて、機能などの設定を行うことができる。設定されたデータは、機能設定情報データとして、たとえば、空気調和機器が有する制御基板上の記憶装置（図示せず）に保存される。【０００３】
また、従来の空気調和装置において、複数の空気調和機器が、それぞれの機能設定情報データを、バックアップデータとして相互に保存するものがある。そして、機器の制御基板が故障するなどして、制御基板を交換した場合には、他の機器に保存されたバックアップデータを含む信号を送ってもらい、機能設定情報を復元する技術が知られている（たとえば、特許文献１参照）。
【先行技術文献】
【特許文献】
【０００４】
【特許文献１】特開２０１３−２３８３４０号公報
【発明の概要】
【発明が解決しようとする課題】
【０００５】
ここで、特許文献１に示される従来の空気調和装置では、機能設定情報の復元対象となる空気調和機器のバックアップデータを保存する機器は、復元対象となる機器と同一の伝送線によって通信接続された空気調和機器、リモートコントローラなどの機器である。このため、たとえば、雷サージなどによって、伝送線で接続された複数の機器の制御基板がまとめて故障すると、バックアップデータが消失してしまう可能性が高かった。バックアップデータが消失してしまうと、たとえば、初期値の機能設定情報データしか残されていない。このため、再度、機能などを設定する手間が生じる。また、設定内容が不明である場合には、消失前と同じ設定に再度設定をすることができず、たとえば、周囲の機器と、連携した運転を行うことができない可能性があった。【０００６】
この発明は、上記のような課題を鑑みてなされたもので、機能設定情報のデータ保存などを、より確実に行うことができる空気調和装置を得ることを目的とする。
【課題を解決するための手段】
【０００７】
この発明に係る空気調和装置は、配管接続により冷媒回路が構成される複数の空気調和機器が有する制御系装置が、それぞれ通信可能に第一伝送線で接続された空気調和装置であって、それぞれの空気調和機器は、空気調和機器における機能の設定に関する機能設定情報のデータを有し、第一伝送線以外の経路で、少なくとも１台の空気調和機器の制御系装置とデータのやりとりが可能なバックアップ機器に保存されたバックアップデータに基づいて、機能設定情報のデータの復元が行われるものである。
【発明の効果】
【０００８】
この発明の空気調和装置は、空気調和装置の空調機器が通信接続を行うための伝送線以外の経路上にないバックアップ機器に、バックアップデータを保存するようにしたので、たとえば、伝送線に接続された空調機器における制御基板が、一斉に故障などしても、バックアップ機器のバックアップデータによって、機能設定情報のデータを容易に復元することができる。
【図面の簡単な説明】
【０００９】
【図１】この発明の実施の形態１における空気調和装置を中心とする構成を示す図である。
【図２】この発明の実施の形態１に係る機能設定情報の一例を示す図である。
【図３】この発明の実施の形態１に係る空気調和装置を中心とする空気調和システムの構成を示す図である。
【図４】この発明の実施の形態１に係る機能設定情報データの定時バックアップにおける手順を示す図である。
【図５】この発明の実施の形態１に係る室内機１において機能設定情報データが変更されたときの手順を示す図である。
【図６】この発明の実施の形態１に係る室外機３において機能設定情報データが変更されたときの手順を示す図である。
【図７】この発明の実施の形態１に係るリモートコントローラ５，６の表示画面を示す図である。
【図８】この発明の実施の形態１に係るリモートコントローラ６以外の機器に機能設定情報のデータをバックアップする際の流れを示す図である。
【図９】この発明の実施の形態１に係るサーバ１３へのバックアップの手順を示す図である。
【図１０】この発明の実施の形態１に係るクラウドサービス１５へのバックアップの手順を示す図である。
【図１１】この発明の実施の形態１に係る外部記録媒体へのバックアップの手順を示す図である。
【図１２】この発明の実施の形態２に係る空気調和装置において、機能設定情報を復元する手順を説明する図である。
【図１３】この発明の実施の形態２に係るバックアップデータの有無に関する表示画面例を示す図である。
【図１４】この発明の実施の形態２に係るバックアップ有無情報取得処理の手順を説明する図である。
【図１５】この発明の実施の形態２に係るバックアップデータ取得処理の手順を説明する図である。
【図１６】この発明の実施の形態２に係る機能設定情報初期値保存処理の手順を説明する図である。
【図１７】この発明の実施の形態２に係る同一冷媒系統および同一型名の空気調和機器に関する表示画面例を示す図である。
【図１８】この発明の実施の形態２に係る機能設定情報のデータの自動復元処理の手順を説明する図である。
【図１９】この発明の実施の形態２に係る機能テーブルの一例を示す図である。
【発明を実施するための形態】
【００１０】
以下、発明の実施の形態に係る空気調和装置について、図面などを参照しながら説明する。以下の図面において、同一の符号を付したものは、同一またはこれに相当するものであり、以下に記載する実施の形態の全文において共通することとする。また、図面では各構成部材の大きさの関係が実際のものとは異なる場合がある。そして、明細書全文に表わされている構成要素の形態は、あくまでも例示であって、明細書に記載された形態に限定するものではない。明細書に記載された機器がすべて含まれていなくてもよい場合がある。特に構成要素の組み合わせは、各実施の形態における組み合わせのみに限定するものではなく、他の実施の形態に記載した構成要素を別の実施の形態に適用することができる。また、圧力および温度の高低については、特に絶対的な値との関係で高低が定まっているものではなく、装置などにおける状態、動作などにおいて相対的に定まるものとする。また、添字で区別などしている複数の同種の機器などについて、特に区別したり、特定したりする必要がない場合には、符号、添字などを省略して記載する場合がある。
【００１１】
実施の形態１．
図１は、この発明の実施の形態１における空気調和装置を中心とする構成を示す図である。図１の空気調和装置においては、たとえば、室内などの空調対象空間の空気調和を行うために用いられる空気調和機器として、たとえば、２機の室内機１，２と２機の室外機３，４とを有している。室内機１，２は、たとえば、空調対象空間に設置され、空調対象空間の空気調和を行う。室外機３，４は、室内機１，２に冷媒による熱供給を行う。室内機１，２内にある室内熱交換器などの機器（図示せず）と室外機３，４内の圧縮機、室外熱交換器などの機器（図示せず）とが冷媒配管１１で配管接続されており、冷媒が循環する冷媒回路が構成される。また、室内機１，２には電源線９が接続されている。そして、室外機３，４には電源線１０が接続されている。電源線９，１０を介して、各空気調和機器に商用電源からの電力が供給される。
【００１２】
また、実施の形態１においては、空気調和装置に指示などを行うリモートコントローラ５，６を有している。そして、室内機１，２を制御する制御系装置、室外機３，４の制御系機器およびリモートコントローラ５が第一伝送線７を介して通信可能に接続されている。また、たとえば、室内機１，２の制御系機器とリモートコントローラ６とが、第一伝送線７と通信系統が異なる第二伝送線８を介して通信可能に接続されている。第一伝送線７は、室内機１，２および室外機３，４の間で機能設定情報、空気調和装置運転時の制御情報などのデータを含む信号の通信線となる。また、リモートコントローラ５と室内機１，２および室外機３，４との間で、利用者からの運転指令などのデータを含む信号の通信線となる。第二伝送線８は、リモートコントローラ６と室内機１との間で、利用者からの運転指令、室外機３，４および室内機１，２の機能設定情報などのデータを含む信号の通信線となる。
【００１３】
次に、制御系の装置における構成について説明する。室内機１，２および室外機３，４は、それぞれ制御基板１ａ，２ａ，３ａ，４ａを有している。制御基板１ａ，２ａ，３ａ，４ａは、それぞれ、制御装置１ｂ，２ｂ，３ｂ，４ｂ、メモリ１ｃ，２ｃ，３ｃ，４ｃ、通信回路１ｅ，２ｅ，３ｅ，４ｅおよびロータリースイッチ１ｄ，２ｄ，３ｄ，４ｄを有している。また、室内機１，２の制御基板１ａ，２ａは、さらに、通信回路１ｆ，２ｆを有している。ここで、室内機１，２および室外機３，４は、それぞれ記録媒体挿入スロット（図示せず）を有しているものとする。そして、実施の形態１の空気調和装置においては、記録媒体挿入スロットに挿抜可能な外部記録媒体１ｇ，２ｇ，３ｆ，４ｆが記録媒体挿入スロットに挿入されている。
【００１４】
制御装置１ｂ，２ｂ，３ｂ，４ｂは、ＣＰＵなどの演算装置を有している。制御装置１ｂ，２ｂ，３ｂ，４ｂは、それぞれを有する空気調和機器の機能に係る動作制御などを行う。ここで、機能に係る処理手順は、あらかじめプログラム化され、ソフトウェア、ファームウェアなどとして、メモリ１ｃ，２ｃ，３ｃ，４ｃに記憶されている。制御装置１ｂ，２ｂ，３ｂ，４ｂは、プログラムを実行して処理を行い、機能を実現する。制御装置１ｂ，２ｂ，３ｂ，４ｂは、ここでは、特に、機能設定情報のデータの保存、復元などに関する処理を行う。また、メモリ１ｃ，２ｃ，３ｃ，４ｃは、制御データ、各機器の機能を実行するメインソフトウェアなどのデータを、記憶および保存する。ここでは、後述するように、機能設定情報のデータを保存する記憶装置となる。ここで、実施の形態１におけるメモリ１ｃ，２ｃ，３ｃ，４ｃは、不揮発性メモリであるものとする。
【００１５】
通信回路１ｅ，２ｅ，３ｅ，４ｅは、それぞれを有する機器の制御装置１ｂ，２ｂ，３ｂ，４ｂが第一伝送線７を介してデータを含む信号通信を行うインターフェースとなる。通信回路１ｆ，２ｆは、第二伝送線８を介してデータを含む信号通信を行うインターフェースとなる。
【００１６】
第一伝送線７にはリモートコントローラ５が接続されている。また、第二伝送線８には、リモートコントローラ６が接続されている。リモートコントローラ５，６は、たとえば、利用者が入力した空気調和機器の設定指示、操作指示などに係るデータを含む信号を空気調和機器に送信する装置となる。このため、リモートコントローラ５，６は、設定装置となる。また、空気調和機器から送られる信号に基づく運転状態などの表示、操作内容の表示、異常状態の報知などを行う表示装置および報知装置にもなる。
【００１７】
リモートコントローラ５，６は、制御装置５ａ，６ａ、メモリ５ｂ，６ｂ、操作部５ｃ，６ｃ、表示部５ｄ，６ｄおよび通信回路５ｅ，６ｅをそれぞれ有している。制御装置５ａ，６ａは、ＣＰＵなどの演算装置を有している。リモートコントローラ５，６における動作に関する各種処理を行う装置である。メモリ５ｂ，６ｂは、リモートコントローラ５，６における制御データなどを保存する。ここで、リモートコントローラ６のメモリ６ｂは、後述するように、空気調和機器が有する機能設定情報のデータをバックアップデータとして保存する。通信回路５ｅは、第一伝送線７を介してデータを含む信号の送受を行う。また、通信回路６ｅは、第二伝送線８を介してデータを含む信号の送受を行う。表示部５ｄ，６ｄは、空気調和装置の状態などを表示する表示装置となる。操作部５ｃ，６ｃは、たとえば、表示部５ｄ，６ｄに映し出された画面に基づく、利用者の操作に係る入力信号を制御装置５ａ，６ａに送る入力装置となる。ここで、室外機３，４、室内機１，２、リモートコントローラ５間の通信は、同一の第一伝送線７で通信される。そこで、ロータリースイッチ１ｄ，２ｄ，３ｄ，４ｄ，５ｆにおいて、各空気調和機器が送受する信号を識別するための固有のアドレス情報が設定される。ロータリースイッチ６ｆについては、別系統のアドレス情報が設定される。
【００１８】
図２は、この発明の実施の形態１に係る機能設定情報の一例を示す図である。室内機１および室内機２と室外機３および室外機４は、それぞれメモリ１ｃ，２ｃ，３ｃ，４ｃを有している。実施の形態１のメモリ１ｃ，２ｃ，３ｃ，４ｃには、機能設定情報のデータが記憶されている。機能設定情報として、図２に示すように、たとえば、工場出荷時に設定される運転制御用パラメータ、現地にて設定された運転制御用パラメータ、空気調和装置稼働後に蓄積されるデータ、機器を特定する情報に関するデータ、システム情報に関するデータなどがある。
【００１９】
図３は、この発明の実施の形態１に係る空気調和装置を中心とする空気調和システムの構成を示す図である。図３に示す通り、実施の形態１の空気調和システムは、第一伝送線７を介して、空気調和機器などと通信可能に接続された集中管理装置１２を有している。
集中管理装置１２は、装置内部に制御装置１２ａ、メモリ１２ｂ、操作部１２ｃ、表示部１２ｄ並びに通信回路１２ｅ，１２ｆおよび１２ｇを有している。
【００２０】
制御装置１２ａは、ＣＰＵなどの演算装置を有している。制御装置１２ａは、集中管理装置１２の動作制御などを行う。メモリ１２ｂは、集中管理装置１２の処理に係るソフトウェアなどのデータを記憶する。ここで、メモリ１２ｂは、不揮発性メモリであるものとする。操作部１２ｃは、利用者がボタンなどの入力による操作に関する処理を行う。表示部１２ｄは、制御装置１２ａから送られる信号に基づく表示を行う。したがって、集中管理装置１２は、設定装置、表示装置および報知装置となる。
【００２１】
通信回路１２ｅは、第一伝送線７を介してデータを含む信号通信を行うインターフェースとなる。また、通信回路１２ｆは、ＬＡＮ（Local Area Network）１４にて通信接続された装置とのインターフェースとなる。実施の形態１においては、集中管理装置１２は、ＬＡＮ１４を介してサーバ１３と接続されている。通信回路１２ｇは、電気通信回線１６にて、通信接続された装置とのインターフェースとなる。実施の形態１においては、集中管理装置１２は、電気通信回線１６を介してクラウドサービス１５と接続されている。ここでは、集中管理装置１２は、ＬＡＮ１４および電気通信回線１６を介して、サーバ１３およびクラウドサービス１５と通信可能に接続されているが、これに限定するものではなく、他のコンピュータなどと接続されるようにしてもよい。
【００２２】
図４は、この発明の実施の形態１に係る機能設定情報データの定時バックアップにおける手順を示す図である。定時バックアップは、たとえば、各空気調和機器から定期的に送られた機能設定情報のデータを含む信号に基づいて、リモートコントローラ６のメモリ６ｃにバックアップデータを保存する。ここでは、第二伝送線８に接続されたリモートコントローラ６が有する制御装置６ａが、主として定時バックアップの処理を行う。ただし、これに限定するものではなく、空気調和機器側が、定期的に機能設定情報のデータを含む信号を送るなどして定時バックアップを行うようにしてもよい。ここで、リモートコントローラ６と空気調和機器の間において行われる信号通信などについて、実際には、たとえば、各空気調和機器が有する制御装置が、通信装置および伝送線を介して行うことになる。
【００２３】
リモートコントローラ６の制御装置６ａは、定時バックアップ処理条件を満たしているかどうかを判定する（ステップＳ１）。ここでは、たとえば、空気調和装置を運転中にリモートコントローラ６の電源がＯＮしていること、または、前回バックアップ処理を行ってから２４時間が経過していることを、定時バックアップ処理条件とする。定時バックアップ処理条件を満たしていると判定すると、さらに、リモートコントローラ６が操作されてから１０分経過し、定時バックアップの処理が可能であるかどうかを判定する（ステップＳ２）。これは、たとえば、利用者がリモートコントローラ６を操作中または操作直後における制御中にバックアップを実行すると、通信トラフィックの増加による遅延が発生する可能性があるからである。そこで、制御装置６ａが、リモートコントローラ６の操作に係る処理を行っていない可能性が高い操作後１０分以上経過してからバックアップ処理を開始するようにする。
【００２４】
定時バックアップの処理が可能であると判定すると、リモートコントローラ６の制御装置６ａは、室内機１に対して、室内機１の機能設定情報に係るデータを要求する（ステップＳ３）。リモートコントローラ６の要求を受けた室内機１は、ロータリースイッチ１ｄによって設定されたアドレス情報およびメモリ１ｃに保存されている機能設定情報のデータを含む信号をリモートコントローラ６に送る（ステップＳ４）。信号が送られると、制御装置６ａは、信号に含まれるデータと受信日時とを関連づけ、バックアップデータとしてメモリ６ｂに保存する（ステップＳ５）。ここで、受信日時は、バックアップデータの保存日時となる（以下、同じ）。
【００２５】
また、リモートコントローラ６の制御装置６ａは、第二伝送線８で接続された室内機１に対して、第二伝送線８で直接接続されていない他の空気調和機器に係るデータを要求する（ステップＳ６）。ここでは、室外機３の機能設定情報に係るデータを要求する。リモートコントローラ６の要求を受けた室内機１は、他の空気調和機器である室外機３に対して、アドレス情報および機能設定情報のデータを含む信号の送信を要求する（ステップＳ７）。室内機１の要求を受けた室外機３は、アドレス情報および機能設定情報のデータを含む信号を室内機１に送る。室外機３から信号が送られると、室内機１は、室外機３のアドレス情報および機能設定情報のデータを含む信号をリモートコントローラ６に送る（ステップＳ８）。信号が送られると、制御装置６ａは、信号に含まれるデータと受信日時とを関連づけ、バックアップデータとしてメモリ６ｂに保存する（ステップＳ９）。リモートコントローラ６の制御装置６ａは、バックアップデータを保存していない第二伝送線８で直接接続されていない他の空気調和機器があるかどうかを判定する（ステップＳ１０）。他の空気調和機器があると判定すると、ステップＳ６に戻ってバックアップ処理を続ける。
【００２６】
ここで、例としてリモートコントローラ６から室外機３の機能設定情報を取得する手順を示したが、本手順は室外機３に限らない。制御装置６ａは、第二伝送線８を介して、リモートコントローラ６と直接接続されていない他のバックアップ機器全般にも、同じ手順で処理を行い、バックアップデータを保存する。
【００２７】
図５は、この発明の実施の形態１に係る室内機１において機能設定情報データが変更されたときの手順を示す図である。室内機１の制御装置１ｂは、たとえば、利用者の操作などにより機能設定情報が変更されたものと判定すると（ステップＳ１１）、メモリ１ｃに保存されている機能設定情報のデータを、ロータリースイッチ１ｄによって設定されたアドレス情報のデータとともに信号に含めてリモートコントローラ６に送る（ステップＳ１２）。
【００２８】
リモートコントローラ６は、信号が送られると、信号に含まれるデータと受信日時とを関連づけ、バックアップデータとしてメモリ６ｂに保存する（ステップＳ１３）。また、室内機１の制御装置１ｂは、ＬＡＮ１４、電気通信回線１６などの第二伝送線８とは異なる経路で通信を行うことができる他のバックアップ機器に、機能設定情報のデータを保存する場合には、他のバックアップ機器に対しても、アドレス情報および機能設定情報のデータを含む信号を送る処理を行う（ステップＳ１４）。
【００２９】
図６は、この発明の実施の形態１に係る室外機３において機能設定情報データが変更されたときの手順を示す図である。室外機３の制御装置３ｂは、たとえば、利用者の操作などにより機能設定情報が変更されたものと判定すると（ステップＳ２１）、ロータリースイッチ３ｄによって設定されたアドレス情報およびメモリ３ｃに保存されている機能設定情報のデータを含む信号を、第一伝送線７を介して、室内機１に送る（ステップＳ２２）。
【００３０】
室内機１は、室外機３から信号が送られると、室外機３のアドレス情報および機能設定情報のデータを含む信号をリモートコントローラ６に送る（ステップＳ２３）。リモートコントローラ６は、信号が送られると、信号に含まれるデータと受信日時とを関連づけ、バックアップデータとしてメモリ６ｂに保存する（ステップＳ２４）。また、室外機３の制御装置３ｂは、ＬＡＮ１４、電気通信回線１６などの伝送線で接続されている外部機器に、機能設定情報のデータを保存する場合には、外部機器に対しても、アドレス情報および機能設定情報のデータを含む信号を送る処理を行う（ステップＳ２５）。
【００３１】
図７は、この発明の実施の形態１に係るリモートコントローラ５，６の表示画面を示す図である。利用者は、設定装置となるリモートコントローラ５，６の表示部５ｄ，６ｄに表示された画面に基づいて、機能設定情報のデータを含むバックアップデータの保存先を任意に設定することができる。図７では、保存先として有効または無効の別が表示されており、利用者が選択を行うことができる。
【００３２】
図８は、この発明の実施の形態１に係るリモートコントローラ６以外の機器に機能設定情報のデータをバックアップする際の流れを示す図である。たとえば、集中管理装置１２およびＬＡＮ１４を介して、サーバ１３にバックアップデータを保存する（ステップＳ３１）。また、集中管理装置１２および電気通信回線１６を介して、クラウドサービス１５にバックアップデータを保存する（ステップＳ３２）。さらに、室内機１および室内機２、室外機３および室外機４が有する記録媒体挿入スロットに外部記録媒体１ｇ，２ｇ，３ｆ，４ｆが挿入されていれば、バックアップデータを保存する（ステップＳ３３）。ここで、ステップの順序は、上記の順序に限定するものではなく、手順を入れ替えるようにしてもよい。
【００３３】
図９は、この発明の実施の形態１に係るサーバ１３へのバックアップの手順を示す図である。たとえば、サーバ１３へのバックアップが有効に設定されているかどうかを判定する（ステップＳ４１）。バックアップが有効に設定されていると判定すると、リトライ回数を初期化して、０にする（ステップＳ４２）。そして、ロータリースイッチ１ｄによって設定されたアドレス情報およびメモリ１ｃに保存されている機能設定情報のデータを含む信号を、第一伝送線７を介して、集中管理装置１２に送る（ステップＳ４３）。
【００３４】
集中管理装置１２は、送られた信号を、さらに、ＬＡＮ１４を介して、サーバ１３に送る（ステップＳ４４）。サーバ１３は、信号に含まれるデータと受信日時とを関連づけ、バックアップデータとして保存する処理を行う（ステップＳ４５）。サーバ１３はバックアップデータの保存処理が正常に行えたかどうかを判定する（ステップＳ４６）。正常に行えたものと判定すると、サーバ１３へのバックアップ処理を終了する。
【００３５】
一方、ステップＳ４４において、バックアップデータの保存処理を正常に行えなかったと判定すると、リトライ回数が２より大きいかどうか（３回以上であるかどうか）を判定する（ステップＳ４７）。リトライ回数が２より大きくない（２回以下）であると判定すると、リトライ回数を１増やし（ステップＳ４８）、ステップＳ４４に戻って、アドレス情報および機能設定情報のデータを含む信号を、サーバ１３に送って、バックアップデータの保存処理を行わせる。
【００３６】
リトライ回数が２より大きい（３回以上である）と判定すると、たとえば、バックアップデータの保存ができなかった旨を、報知装置となるリモートコントローラ５，６の表示部５ｄ，６ｄに表示させ、利用者に報知する（ステップＳ４９）。ここでは、サーバ１３にバックアップデータを保存するものとして説明した。ただ、図９に示すバックアップに関する処理手順は、サーバ１３に限らず、ＬＡＮ１４に接続されるコンピュータなどの機器全般にバックアップデータを保存する際に適用することができる。
【００３７】
図１０は、この発明の実施の形態１に係るクラウドサービス１５へのバックアップの手順を示す図である。たとえば、クラウドサービス１５へのバックアップが有効に設定されているかどうかを判定する（ステップＳ５１）。バックアップが有効に設定されていると判定すると、リトライ回数を初期化して、０にする（ステップＳ５２）。そして、ロータリースイッチ１ｄによって設定されたアドレス情報およびメモリ１ｃに保存されている機能設定情報のデータを含む信号を、第一伝送線７を介して、集中管理装置１２に送る（ステップＳ５３）。
【００３８】
集中管理装置１２は、送られた信号を、さらに、電気通信回線１６を介して、クラウドサービス１５に送る（ステップＳ５４）。クラウドサービス１５は、信号に含まれるデータと受信日時とを関連づけ、バックアップデータとして保存する処理を行う（ステップＳ５５）。クラウドサービス１５は、バックアップデータの保存処理が正常に行えたかどうかを判定する（ステップＳ５６）。正常に行えたものと判定すると、クラウドサービス１５へのバックアップ処理を終了する。
【００３９】
一方、ステップＳ５６において、バックアップデータの保存処理を正常に行えなかったと判定すると、リトライ回数が２より大きいかどうか（３回以上であるかどうか）を判定する（ステップＳ５７）。リトライ回数が２より大きくない（２回以下）であると判定すると、リトライ回数を１増やし（ステップＳ５８）、ステップＳ５４に戻って、アドレス情報および機能設定情報のデータを含む信号を、クラウドサービス１５に送って、バックアップデータの保存処理を行わせる。
【００４０】
リトライ回数が２より大きい（３回以上である）と判定すると、たとえば、バックアップデータの保存ができなかった旨を、報知装置となるリモートコントローラ５，６の表示部５ｄ，６ｄに表示させ、利用者に報知する（ステップＳ５９）。ここでは、サーバ１３にバックアップデータを保存するものとして説明した。ただ、図１０に示すバックアップに関する処理手順は、クラウドサービス１５に限らず、電気通信回線１６に接続されるコンピュータなどの機器全般にバックアップデータを保存する際に適用することができる。
【００４１】
図１１は、この発明の実施の形態１に係る外部記録媒体へのバックアップの手順を示す図である。たとえば、外部記録媒体へのバックアップが有効に設定されているかどうかを判定する（ステップＳ６１）。バックアップが有効に設定されていると判定すると、リトライ回数を初期化して、０にする（ステップＳ６２）。そして、外部記録媒体が自身の記録媒体挿入スロットに挿入されているかどうかを判定する（ステップＳ６３）。挿入されていると判定すると、ロータリースイッチ１ｄによって設定されたアドレス情報およびメモリ１ｃに保存されている機能設定情報のデータ並びに処理日時とを関連づけ、バックアップデータとして外部記録媒体に保存する処理を行う（ステップＳ６４）。処理日時は、バックアップデータの保存日時となる。
【００４２】
一方、外部記録媒体が記録媒体挿入スロットに挿入されていないと判定すると、外部記録媒体がスロットに挿入されている他の空気調和機器に、第一伝送線７を介して、アドレス情報および機能設定情報のデータを含む信号を送る（ステップＳ６５）。
【００４３】
信号が送られた受信機器は、信号に含まれるデータと受信日時とを関連づけ、バックアップデータとして外部記録媒体に保存する（ステップＳ６６）。
【００４４】
外部記録媒体を有する空気調和機器は、バックアップデータの保存処理が正常に行えたかどうかを判定する（ステップＳ６７）。正常に行えたものと判定すると、バックアップ処理を終了する。
【００４５】
一方、ステップＳ６７において、バックアップデータの保存処理を正常に行えなかったと判定すると、リトライ回数が２より大きいかどうか（３回以上であるかどうか）を判定する（ステップＳ６８）。リトライ回数が２より大きくない（２回以下）であると判定すると、リトライ回数を１増やし（ステップＳ６９）、ステップＳ６３に戻って、外部記録媒体へのバックアップデータの保存処理を行う。
【００４６】
リトライ回数が２より大きい（３回以上である）と判定すると、たとえば、バックアップデータの保存ができなかった旨を、リモートコントローラ５，６の表示部５ｄ，６ｄに表示させ、利用者に通知する（ステップＳ７０）。
【００４７】
以上のように、実施の形態１の空気調和装置によれば、各空気調和機器が有する機能設定情報のデータを、第二伝送線８で接続されたリモートコントローラ６において保存するようにしたので、このため、たとえば、第一伝送線７における雷サージなどによって、複数の空気調和機器が同時に故障し、同時に制御基板を交換する場合でも、第一伝送線上の機器のいずれかより機能設定情報の復元に対応することができる。また、現地に設置された機器または装置だけでなく、ＬＡＮ１４、電気通信回線１６などで通信可能に接続されたサーバ１３、クラウドサービス１５などもバックアップデータの保存先となるバックアップ機器とすることができるので、機能設定情報の信頼性をより高めることができる。
【００４８】
実施の形態２．
図１２は、この発明の実施の形態２に係る空気調和装置において、機能設定情報を復元する手順を説明する図である。たとえば、空気調和機器の少なくとも１台において、故障などが発生した場合、その空気調和機器の制御基板を交換することがある。たとえば、交換された制御基板のメモリが有する機能設定情報のデータは初期値となっている。このため、制御基板の機能設定情報を交換前の機能設定情報に復元することが求められる。
【００４９】
空気調和機器の制御基板が交換され（ステップＳ８１）、電源線９，１０を介して電力が投入される（ステップＳ８２）。商用電源が投入された室内機１および室内機２、室外機３および室外機４は、それぞれ、メモリ１ｃ，２ｃ，３ｃ，４ｃから機能設定情報を読み出す（ステップＳ８３）。そして、読み出した機能設定情報が初期値であるかどうかを判定する（ステップＳ８４）。機能設定情報が初期値でないと判定すると、復元は不要であるとして、処理を終了する。
【００５０】
一方、機能設定情報が初期値であると判定すると、バックアップデータの有無に関するデータを取得するバックアップ有無情報取得処理を行う（ステップＳ８５）。バックアップ有無情報取得処理については後述する。
【００５１】
図１３は、この発明の実施の形態２に係るバックアップデータの有無に関する表示画面例を示す図である。バックアップ機器にバックアップデータが存在する場合（ステップＳ８６）、得られたバックアップデータの有無およびバックアップデータ内の受信日時を表示させる信号をリモートコントローラ５，６および集中管理装置１２に送る（ステップＳ８７）。リモートコントローラ５，６および集中管理装置１２は、信号に基づいて、たとえば、図１３に示すように、利用者にバックアップデータの選択を促す画面を表示する（ステップＳ８８）。利用者により、表示された画面に基づいて、復元処理を行うバックアップデータが選択される（ステップＳ８９）。
【００５２】
選択されたバックアップデータの取得処理を行う（ステップＳ９０）。取得処理については後述する。そして、取得処理により得られたバックアップデータに係る機能設定情報のデータを、メモリに保存記憶させ（ステップＳ９１）、処理を終了する。
【００５３】
一方、ステップＳ８６において、バックアップデータが存在しない場合、機能設定情報初期値保存処理を行う（ステップＳ９２）。機能設定情報初期値保存処理については、後述する。
【００５４】
図１４は、この発明の実施の形態２に係るバックアップ有無情報取得処理の手順を説明する図である。機能設定情報が初期値であると判定した空気調和機器は、異なる伝送線などでリモートコントローラと接続された室内機が存在するかどうかを判定する（ステップＳ１０１）。異なる伝送線で接続された室内機が存在すると判定すると、バックアップデータ有無およびバックアップデータ内の受信日時に関するデータを送る要求指示を含む信号を室内機に送る（ステップＳ１０２）。室内機は、受けた信号を、さらに異なる伝送線で接続されたリモートコントローラに送る（ステップＳ１０３）。要求指示を受けたリモートコントローラは、バックアップデータ有無およびバックアップデータ内の受信日時に関するデータを含む信号を、伝送線、室内機を経由して、要求指示を行った空気調和機器に送る（ステップＳ１０４）。
【００５５】
また、機能設定情報が初期値であると判定した空気調和機器は、集中管理装置１２にＬＡＮ１４を介して接続されたサーバなどが存在するかどうかを判定する（ステップＳ１０５）。サーバなどが存在すると判定すると、バックアップデータ有無およびバックアップデータ内の受信日時に関するデータを送る要求指示を含む信号を集中管理装置１２に送る（ステップＳ１０６）。集中管理装置１２は、受けた信号を、ＬＡＮ１４を介して接続されたサーバなどに送る（ステップＳ１０７）。要求指示を受けたサーバなどは、バックアップデータ有無およびバックアップデータ内の受信日時に関するデータを含む信号を、ＬＡＮ１４、集中管理装置１２を経由して、要求された空気調和機器に送る（ステップＳ１０８）。
【００５６】
さらに、機能設定情報が初期値であると判定した空気調和機器は、集中管理装置１２に電気通信回線１６を介して接続されたクラウドサービスなどが存在するかどうかを判定する（ステップＳ１０９）。クラウドサービスなどが存在すると判定すると、バックアップデータ有無およびバックアップデータ内の受信日時に関するデータを送る要求指示を含む信号を集中管理装置１２に送る（ステップＳ１１０）。集中管理装置１２は、受けた信号を、電気通信回線１６を介して接続されたクラウドサービスなどに送る（ステップＳ１１１）。要求指示を受けたクラウドサービスなどは、バックアップデータ有無およびバックアップデータ内の受信日時に関するデータを含む信号を、電気通信回線１６、集中管理装置１２を経由して、要求された空気調和機器に送る（ステップＳ１１２）。
【００５７】
図１５は、この発明の実施の形態２に係るバックアップデータ取得処理の手順を説明する図である。復元処理を行う空気調和機器は、異なる伝送線で接続されたリモートコントローラが有するバックアップデータが選択されたかどうかを判定する（ステップＳ１２１）。リモートコントローラが有するバックアップデータが選択されたと判定すると、バックアップデータを送る要求指示を含む信号を室内機に送る（ステップＳ１２２）。室内機は、受けた信号を、さらに異なる伝送線で接続されたリモートコントローラに送る（ステップＳ１２３）。要求指示を受けたリモートコントローラは、バックアップデータを含む信号を、伝送線、室内機を経由して、要求指示を行った空気調和機器に送る（ステップＳ１２４）。そして、取得処理が終了する。ここでは、バックアップデータを含む信号を、空気調和機器に送るようにしたが、バックアップデータ内の機能設定情報のデータを含む信号を送るようにしてもよい（以下、同じ）。
【００５８】
また、復元処理を行う空気調和機器は、集中管理装置１２にＬＡＮを介して接続されたサーバなどが有するバックアップデータが選択されたかどうかを判定する（ステップＳ１２５）。サーバなどが選択されたと判定すると、バックアップデータを送る要求指示を含む信号を集中管理装置１２に送る（ステップＳ１２６）。集中管理装置１２は、受けた信号を、ＬＡＮを介して接続されたサーバなどに送る（ステップＳ１２７）。要求指示を受けたサーバは、バックアップデータを含む信号を、ＬＡＮ、集中管理装置１２を経由して、要求された空気調和機器に送る（ステップＳ１２８）。
【００５９】
さらに、復元処理を行う空気調和機器は、集中管理装置１２に電気通信回線１６を介して接続されたクラウドサービスなどが選択されたかどうかを判定する（ステップＳ１２９）。サーバが選択されたと判定すると、バックアップデータを送る要求指示を含む信号を集中管理装置１２に送る（ステップＳ１３０）。集中管理装置１２は、受けた信号を、電気通信回線１６を介して接続されたクラウドサービスなどに送る（ステップＳ１３１）。要求指示を受けたクラウドサービスなどは、バックアップデータを含む信号を、電気通信回線１６、集中管理装置１２を経由して、要求された空気調和機器に送る（ステップＳ１３２）。
【００６０】
図１６は、この発明の実施の形態２に係る機能設定情報初期値保存処理の手順を説明する図である。機能設定情報が初期値であると判定した空気調和機器において、バックアップデータが存在しない場合、空気調和装置を構築する空気調和機器のアドレスを取得する（ステップＳ１４１）。また、同一冷媒系統に同一型名の空気調和機器が存在するかどうかを判定する（ステップＳ１４２）。同一冷媒系統に同一型名の空気調和機器が存在しないと判定すると、初期値を機能設定情報のデータとして、メモリに保存する（ステップＳ１４３）。
【００６１】
図１７は、この発明の実施の形態２に係る同一冷媒系統および同一型名の空気調和機器に関する表示画面例を示す図である。同一冷媒系統に同一型名の空気調和機器が存在すると判定すると、その空気調和機器を表示させる信号をリモートコントローラ５，６および集中管理装置１２に送る（ステップＳ１４４）。リモートコントローラ５，６および集中管理装置１２は、信号に基づいて、たとえば、図１７に示すような、利用者に機能設定情報の選択を促す画面を表示する（ステップＳ１４５）。利用者により、表示された画面に基づいて、どの空気調和機器の機能設定情報を参照するかが選択される（ステップＳ１４６）。
【００６２】
そして、選択された空気調和機器に対し、機能設定情報のデータを含む信号の要求指示を行う（ステップＳ１４７）。要求指示を受けた空気調和機器は、機能設定情報のデータを含む信号を、要求指示を送った空気調和機器に送る（ステップＳ１４８）。機能設定情報のデータを含む信号を受けた空気調和機器は、機能設定情報のデータを、メモリに記憶させ（ステップＳ１４９）、処理を終了する。
【００６３】
図１８は、この発明の実施の形態２に係る機能設定情報のデータの自動復元処理の手順を説明する図である。たとえば、交換した制御基板におけるソフトウェアが新しく、ソフトウェアにおいて上位互換されている機能は、機能設定情報が不要な場合がある。そこで、復元した機能設定情報のデータのうち、不要なデータを無効にする。
【００６４】
空気調和機器において、たとえば、制御基板が交換され、機能設定情報を復元処理した後、制御装置は、復元された機能設定情報のデータを読み出す（ステップＳ１５１）。また、制御基板が有するメモリに記録されたソフトウェア内部において構成されている機能テーブルのデータを読み出す（ステップＳ１５２）。
【００６５】
図１９は、この発明の実施の形態２に係る機能テーブルの一例を示す図である。
そして、機能設定情報のデータと機能テーブルのデータとを比較し、機能テーブルで実行される機能の方が効率がよいなど、機能の実行には設定不要の機能設定情報があるかどうかを判定する（ステップＳ１５３）。設定不要の機能設定情報があれば、該当する設定を無効化し、機能実行の際に機能設定情報のデータを利用しなくてもよいようにする（ステップＳ１５４）。
【００６６】
以上のように、実施の形態２の空気調和装置によれば、雷サージなどによって複数の機器が同時に故障し、同時に制御基板を交換する場合でも、異なる経路でバックアップデータが保存されたバックアップ機器のいずれかより機能設定情報を復元することができる。また、バックアップデータがなくても、同じような動作を行う可能性がある、同一冷媒系統の同一型名の空気調和機器から機能設定情報を得ることができる。そして、機能設定情報のバックアップデータが存在しない場合においても同一冷媒系統の同一ユニットから機能設定情報を取得することができるため、現地にて細かい設定変更をしていた場合においても、設定の手間を軽減することができる。機能設定情報のデータの復元時に交換後の制御基板に書込まれているソフトウェアの機能と復元される機能設定情報を比較し、ソフトウェアの機能が優位であれば、自動的に機能設定情報を無効化できるようにしたので、効率のよい運転制御を行うことができる。
【００６７】
ここで、上述した説明において、バックアップデータが存在しない場合、参照する空気調和機器の機能設定情報を決定するにあたって、同一冷媒系統に同一型名の空気調和機器の存在有無を判定条件としたが、これに限定するものではない。たとえば、同じ冷媒系統の同種の空気調和機器または同一型名の空気調和機器のいずれか一方の存在有無を判定条件としてもよい。また、建物内の同じフロアにおける同種の空気調和機器の存在有無を判定条件としてもよい。
【００６８】
実施の形態３．
上述した実施の形態１および実施の形態２では、室内機１，２、室外機３，４、リモートコントローラ５，６を、それぞれ２機ずつで構成したが、構成数を限定するものではない。
【００６９】
また、上述した実施の形態では、特に示していないが、たとえば、携帯電話、スマートフォンなどの携帯端末など、無線通信接続された機器にバックアップデータを保存させるようにしてもよい。
【符号の説明】
【００７０】
１  室内機、１ａ  制御基板、１ｂ  制御装置、１ｃ  メモリ、１ｄ  ロータリースイッチ、１ｅ  通信回路、１ｆ  通信回路、１ｇ  外部記録媒体、２  室内機、２ａ  制御基板、２ｂ  制御装置、２ｃ  メモリ、２ｄ  ロータリースイッチ、２ｅ  通信回路、２ｆ  通信回路、２ｇ  外部記録媒体、３  室外機、３ａ  制御基板、３ｂ  制御装置、３ｃ  メモリ、３ｄ  ロータリースイッチ、３ｅ  通信回路、３ｆ  外部記録媒体、４  室外機、４ａ  制御基板、４ｂ  制御装置、４ｃ  メモリ、４ｄ  ロータリースイッチ、４ｅ  通信回路、４ｆ  外部記録媒体、５  リモートコントローラ、５ａ  制御装置、５ｂ  メモリ、５ｃ  操作部、５ｄ  表示部、５ｅ  通信回路、５ｆ  ロータリースイッチ、６  リモートコントローラ、６ａ  制御装置、６ｂ  メモリ、６ｃ  操作部、６ｄ  表示部、６ｅ  通信回路、７  第一伝送線、８  第二伝送線、９，１０  電源線、１１  冷媒配管、１２  集中管理装置、１２ａ  制御装置、１２ｂ  メモリ、１２ｃ  操作部、１２ｄ  表示部、１２ｅ  通信回路、１２ｆ  通信回路、１２ｇ  通信回路、１３  サーバ、１４  ＬＡＮ、１５  クラウドサービス、１６  電気通信回線。
【図１】
2018146718.tif 000003
【図２】
2018146718.tif 000004
【図３】
2018146718.tif 000005
【図４】
2018146718.tif 000006
【図５】
2018146718.tif 000007
【図６】
2018146718.tif 000008
【図７】
2018146718.tif 000009
【図８】
2018146718.tif 000010
【図９】
2018146718.tif 000011
【図１０】
2018146718.tif 000012
【図１１】
2018146718.tif 000013
【図１２】
2018146718.tif 000014
【図１３】
2018146718.tif 000015
【図１４】
2018146718.tif 000016
【図１５】
2018146718.tif 000017
【図１６】
2018146718.tif 000018
【図１７】
2018146718.tif 000019
【図１８】
2018146718.tif 000020
【図１９】
2018146718.tif 000021
【手続補正書】
【提出日】令和1年5月23日(2019.5.23)
【手続補正１】
【補正対象書類名】明細書
【補正対象項目名】０００７
【補正方法】変更
【補正の内容】
【０００７】
この発明に係る空気調和装置は、配管接続により冷媒回路が構成される複数の空気調和機器が有する制御系装置が、それぞれ通信可能に第一伝送線で接続された空気調和装置であって、それぞれの空気調和機器は、空気調和機器における機能の設定に関する機能設定情報のデータを有し、第一伝送線以外の経路で、少なくとも１台の空気調和機器が有する制御系装置とデータのやりとりが可能なバックアップ機器に保存されたバックアップデータに基づいて、空気調和機器が有する機能設定情報のデータの復元が行われるものである。
【手続補正２】
【補正対象書類名】特許請求の範囲
【補正対象項目名】全文
【補正方法】変更
【補正の内容】
【特許請求の範囲】
【請求項１】
配管接続により冷媒回路が構成される複数の空気調和機器が有する制御系装置が、それぞれ通信可能に第一伝送線で接続された空気調和装置であって、
それぞれの前記空気調和機器は、前記空気調和機器における機能の設定に関する機能設定情報のデータを有し、前記第一伝送線以外の経路で、少なくとも１台の前記空気調和機器が有する前記制御系装置とデータのやりとりが可能なバックアップ機器に保存されたバックアップデータに基づいて、前記空気調和機器が有する前記機能設定情報のデータの復元が行われる空気調和装置。
【請求項２】
前記機能設定情報のデータは、出荷時に設定された運転制御用パラメータのデータ、設置場所において設定された運転制御用パラメータのデータ、空気調和装置を運転することで得られるデータ、前記空気調和機器を特定するデータ、システム内の装置構成に係るデータの少なくとも１つを含むデータである請求項１に記載の空気調和装置。
【請求項３】
前記空気調和機器は、前記機能設定情報に係る設定が変更されると、変更に係る前記機能設定情報のデータを前記バックアップ機器に保存させる請求項１または請求項２に記載の空気調和装置。
【請求項４】
前記空気調和機器は、定期的に、前記機能設定情報のデータを前記バックアップ機器に保存させる請求項１または請求項２に記載の空気調和装置。
【請求項５】
前記バックアップ機器は、前記空気調和機器である室内機と室外機とがそれぞれ有する制御装置を接続する前記第一伝送線とは異なる、複数の前記室内機が有する前記制御装置同士を接続する第二伝送線で、少なくとも１台の前記空気調和機器と通信可能に接続されたリモートコントローラである請求項１〜請求項４のいずれか一項に記載の空気調和装置。
【請求項６】
前記バックアップ機器は、前記機能設定情報のデータをバックアップして前記前記第一伝送線に接続された複数の前記空気調和機器を管理する集中管理装置とＬＡＮを介して通信可能に接続された、サーバまたはコンピュータである請求項１〜請求項４のいずれか一項に記載の空気調和装置。
【請求項７】
前記バックアップ機器は、前記機能設定情報のデータをバックアップして前記第一伝送線に接続された複数の前記空気調和機器を管理する集中管理装置と電気通信回線を介して通信可能に接続された、サーバまたはクラウドサービスである請求項１〜請求項４のいずれか一項に記載の空気調和装置。
【請求項８】
前記バックアップ機器は、前記空気調和機器に挿抜可能な外部記録媒体である請求項１〜請求項４のいずれか一項に記載の空気調和装置。
【請求項９】
前記バックアップ機器は、少なくとも１台の前記空気調和機器と無線通信で接続された携帯端末である請求項１〜請求項４のいずれか一項に記載の空気調和装置。
【請求項１０】
複数の前記バックアップ機器毎に、前記機能設定情報のデータの保存の有効または無効の設定が行われる請求項１〜請求項９のいずれか一項に記載の空気調和装置。
【請求項１１】
前記バックアップ機器が前記機能設定情報のデータを保存できなかったときには、保存できなかった旨が報知される請求項１〜請求項１０のいずれか一項に記載の空気調和装置。
【請求項１２】
前記空気調和機器は、１または複数の前記バックアップ機器および各前記バックアップ機器における前記バックアップデータの保存日時によって選択された前記バックアップデータに基づいて、前記機能設定情報のデータの復元を行う請求項１〜請求項１１のいずれか一項に記載の空気調和装置。
【請求項１３】
前記空気調和機器は、前記復元において、前記バックアップデータに基づく前記機能設定情報のデータと前記制御系装置が有するソフトウェアにより行われる前記機能とを比較し、前記機能に不要な前記機能設定情報を判定して設定を無効にする請求項１〜請求項１２のいずれか一項に記載の空気調和装置。
【請求項１４】
前記空気調和機器は、前記バックアップ機器に前記バックアップデータが存在しないときに、同じ冷媒系統の同種の前記空気調和機器の前記機能設定情報のデータに基づいて前記復元を行う請求項１〜請求項１３のいずれか一項に記載の空気調和装置。
【請求項１５】
前記空気調和機器は、前記バックアップ機器に前記バックアップデータが存在しないときに、同一型名の前記空気調和機器の前記機能設定情報のデータに基づいて前記復元を行う請求項１〜請求項１４のいずれか一項に記載の空気調和装置。
【請求項１６】
前記空気調和機器は、前記バックアップ機器に前記バックアップデータが存在しないときに、建物内の同じフロアにおける同種の前記空気調和機器の前記機能設定情報のデータに基づいて前記復元を行う請求項１〜請求項１５のいずれか一項に記載の空気調和装置。
【国際調査報告】
2018146718.tif 000022
2018146718.tif 000023
2018146718.tif 000024
2018146718.tif 000025